(57)【要約】  ウエハの形態で存在する薬の服用をチェックするため、そのような投与形態の保管と供給に適した装置が利用可能になる。この装置は、袋積層体として配置されていて薬ウエハを収納している薬収納袋を備えるとともに、ａ）この装置が、薬収納袋１の１つの縁部に平行に延びる支持体９を備えていて、その支持体の上に日付表示が配置されているという特徴と、ｂ）袋積層体内の連続した薬収納袋１の上に配置されたそれぞれの目印２０が、連続した日付表示と揃うようにしてそれぞれの薬収納袋１の上に配置されているという特徴を有する。こうすることで、ウエハの服用が確実にチェックされる。
2010535549.tif 000002
【特許請求の範囲】
【請求項１】
袋積層体として配置されていて、薬ウエハを収納している薬収納袋（１）を備える薬ウエハ保管・供給用装置であって、0
ａ）この装置が、薬収納袋（１）の１つの縁部に平行に延びる支持体（９）を備えていて、その支持体上に日付表示が配置されており、
ｂ）袋積層体内の連続した薬収納袋（１）の上に配置されたそれぞれの目印（２０）が、連続した日付表示と揃うようにしてそれぞれの薬収納袋（１）の上に配置されている、
ことを特徴とする薬ウエハ保管・供給用装置。
【請求項２】
薬収納袋（１）が支持体（９）に接続されている、ことを特徴とする請求項１に記載の薬ウエハ保管・供給用装置。
【請求項３】
支持体（９）が、リーフ積層体として配置されていて少なくともそれぞれの第１のリーフ縁部（３´）の領域で互いに接続された残留リーフ（３）によって形成されており、
薬収納袋（１）のそれぞれが、第１のリーフ縁部（３´）とは反対側のそれぞれの第２のリーフ縁部（３´´）を通じて残留リーフ（３）のうちの１つに接続されている、
ことを特徴とする請求項２に記載の薬ウエハ保管・供給用装置。
【請求項４】
日付表示が、リーフ積層体の最上部の残留リーフ（３．１）の上に、そのリーフの第２の縁部（３´´）に沿って配置されるか、または、その最上部の残留リーフ（３．１）を覆うフラップ（１５）の上に配置されている、
ことを特徴とする請求項３に記載の薬ウエハ保管・供給用装置。
【請求項５】
支持体（９）が、薬収納袋（１）の第２の縁部とは反対側にある薬収納袋（１）の第１の縁部の隣に配置されており、
その薬収納袋（１）は、残留リーフ（３）の第１のリーフ縁部（３´）とは反対側にあるそれぞれの第２のリーフ縁部を通じてその残留リーフ（３）に接続されている、
ことを特徴とする請求項２に記載の薬ウエハ保管・供給用装置。
【請求項６】
残留リーフ（３）が、クリップ、または糊付け、またはステープル、またはリング式バインダ、または螺旋式綴じ込みによって互いに接続されている、ことを特徴とする請求項３から５のいずれか１項に記載の薬ウエハ保管・供給用装置。
【請求項７】
残留リーフ（３）が互いにヒンジ式になっている、ことを特徴とする請求項３から６のいずれか１項に記載の薬ウエハ保管・供給用装置。
【請求項８】
それぞれの薬収納袋（１）が別々に残留リーフ（３）のうちの１つに接続されている、ことを特徴とする請求項３から７のいずれか１項に記載の薬ウエハ保管・供給用装置。
【請求項９】
それぞれの薬収納袋（１）が、ミシン目（４）によって別々に残留リーフ（３）のうちの１つに接続されている、ことを特徴とする請求項３から８のいずれか１項に記載の薬ウエハ保管・供給用装置。
【請求項１０】
日付表示が、曜日または暦日を示す、ことを特徴とする請求項１から９のいずれか１項に記載の薬ウエハ保管・供給用装置。
【請求項１１】
日付表示が曜日を示し、週の７つの曜日が支持体（９）の上に示される、ことを特徴とする請求項１から１０のいずれか１項に記載の薬ウエハ保管・供給用装置。
【請求項１２】
日付表示が、その日付表示を支持する表示ストリップ（１０）を支持体（９）上のホルダに差し込むことによって支持体（９）に取り付けられているか、あるいは、支持体（９）に固定されることによって取り付けられている、ことを特徴とする請求項１から１１のいずれか１項に記載の薬ウエハ保管・供給用装置。
【請求項１３】
薬収納袋（１）を保護するための追加のカバー（２）が、袋積層体の少なくとも一方の側に設けられている、ことを特徴とする請求項１から１２のいずれか１項に記載の薬ウエハ保管・供給用装置。
【請求項１４】
残留リーフ（３）の領域において、袋積層体の１つの側でカバー（２）がその残留リーフ（３）に接続され、
そのカバーは、支持体（９）とは反対側にある薬収納袋（１）の側方縁部の位置で裏側に折り曲げられることによって袋積層体の両方の側を覆う、
ことを特徴とする請求項１から１３のいずれか１項に記載の薬ウエハ保管・供給用装置。
【請求項１５】
薬ウエハを収納する１２０個の薬収納袋（１）が袋積層体の中に設けられている、ことを特徴とする請求項１から１４のいずれか１項に記載の薬ウエハ保管・供給用装置。
【請求項１６】
１つの薬収納袋（１）がベース・フィルムとカバー・フィルムで構成され、
そのカバー・フィルムは、そのカバー・フィルムの側部に沿って延びるストリップの形態の接合部を通じてベース・フィルムに接続され、
少なくとも１つの側縁部において、ベース・フィルムとカバー・フィルムが、それぞれ、互いに接続されていない突起したフラップを有し、薬ウエハが、接合部によって形成された領域内でベース・フィルムとカバー・フィルムの間に封入されている、
ことを特徴とする請求項１から１５のいずれか１項に記載の薬ウエハ保管・供給用装置。
【請求項１７】
請求項１から１６のいずれか１項に記載の薬ウエハ保管・供給用装置を利用して避妊またはホルモン補充療法を行なう方法。
【発明の詳細な説明】
【技術分野】
【０００１】
本発明は、特に避妊またはホルモン補充療法のための薬ウエハ、すなわち薄い層の形態になった薬を保管・供給するための装置とその利用法に関する。
【背景技術】
【０００２】
薬ウエハは、薬理学的に活性な物質を活性物質用担体の中に保持された状態で含むフィルム形の製品である。このウエハ内の活性物質は、例えば舌の上または下に置いたウエハにより、経粘膜経路で、すなわち口の粘膜を通じて投与することができる。その後、活性物質用担体は溶解し、そうなることによって活性物質を放出する。供給されるウエハは、フィルム製袋の中に封入されている。特許文献１によれば、この袋は少なくとも１つの支持フィルムと少なくとも１つのカバー・フィルムで構成することができ（その場合、少なくとも面積がより大きいほうのフィルムが２つの平行な側縁部を持つ）、フィルム様の材料または層状の材料（ウエハ）が、支持フィルムとカバー・フィルムの間に気体と液体を通さないようにして封入される。薬ウエハを保管・供給するための装置は、その中に積層されたフィルム製袋を収容することができる。
【０００３】
特許文献１に記載されている薬ウエハ保管・供給用装置は、少なくとも一度区画されたハウジングを備えている。そのハウジングの側部の内面には積み重ねられたフィルム製袋の側縁部が支持されるのに対し、付随するカバー・フィルムの縁部を超えて突起する支持フィルムの縁部は、正面の内面上に支持され、そのハウジングの中では、積み重ねられたフィルム製袋がバネを用いてハウジングの上側の内面に押し付けられる。ハウジングの正面の上部領域には、支持フィルムとカバー・フィルムを別々に放出する２つのスリットがあるため、ウエハを支持フィルムまたはカバー・フィルムとともに供給することができる。支持フィルムをカバー・フィルムから分離する分離ツールがスリットの間に配置されていて、最上部の支持フィルムが、カバー・フィルムの前縁部の前にある領域を通じてその分離ツールの上に載る。回転軸のまわりを回転できる輸送要素が、薬収納袋をハウジングの外に運び出す。
【０００４】
この装置は、所定の時に服用すべきウエハがすでに服用されたかどうかをユーザーがチェックできないという欠点を有する。その結果、１つではなく２つのウエハが容易に服用されたり、ユーザーがウエハを服用するのを完全に忘れたりする可能性がある。
【０００５】
しかしこのようなチェックをできることが、ブリスター・パック（すなわち錠剤、コーティングされたピルなどを保管するための製品）に入った薬で知られている。錠剤、コーティングされたピルなどは、ブリスター・パックの中で、第１のフィルムにエンボス加工されたポケットに収納され、そのフィルムは、ポケットを気密にしていて引きちぎることのできる第２のフィルムに接続されている。
【０００６】
例えば特許文献２では、ブリスター・パックに錠剤用の一列のポケットが設けられている。そのポケットは、少なくとも１つの暦月のすべての日にあいまいさなく対応していることに加え、その暦月の１つの暦日だけで各ポケットを目で特定できるよう、連続した整数の目印がポケットの近くに配置されている。連続した整数の目印は、第２のフィルムの引きちぎる領域の近くに、第２のフィルムの後面から見えるようにして配置されている。各領域は、目で見てその暦月の１つの暦日だけで特定することができる。したがって各ポケットは、目で見て暦月の１つの暦日だけで前面と後面の両方から特定することができる。このようにすると、錠剤を毎日服用していることと、ユーザーが指示を守っているのをチェックすることが容易である。
【０００７】
さらに、特許文献３には、錠剤をアレイにして収納するのに用いられる構成が記載されている。この構成は以下のものを備えている、すなわち、所定の表面積を持っていて複数の錠剤が中に選択されたアレイの構成で配置されたブリスター・パックと、そのブリスター・パックを収容する容器と、ブリスター・パック内の錠剤アレイに合わせることのできる日付表示カレンダーである。日付表示カレンダーは移動可能であって選択した開始日を錠剤アレイの最初の錠剤の上に位置させることができる。容器にはポインタが設けられている。ブリスター・パックは、縁部の近くかつ第１の錠剤の近くに位置特定ノッチを有するため、服用する第１の錠剤が示される。
【０００８】
さらに、特許文献４には、ブリスター・パックを収容していて、そのブリスター・パックの上にヒンジ式に接続された第１の半ケースと第２の半ケースを備えるケースが開示されている。第１の半ケースは、ブリスター・パックを収納するためのポケットとして設計されており、外側部と、内部観察部と、その観察部にある第１の開口部と、外側部にある第２の開口部を有する。第１の開口部は、少なくとも、ブリスター・パックをポケットの中に収納した後にそのブリスター・パックの中に錠剤の容器を配置する場所において特に、第２の開口部と揃っている。第２の半ケースは、一週間の曜日を表示する表示手段を収納する区画と、この区画がある領域内で第２の半ケースの内部観察面に一週間の曜日を表示するためのウインドウを有する。ウインドウは、ポケットに収納されるブリスター・パックの容器の列に割り当てられるように配置される。
【０００９】
しかし薬ユニットを保管・供給するための装置に関するこれら実施態様は、ブリスター・パックに入った錠剤に関するものであり、薬収納袋内の薬ウエハに関するものではない。
【先行技術文献】
【特許文献】
【００１０】
【特許文献１】独国特許明細書ＤＥ１０１５９７４６Ｂ４
【特許文献２】欧州特許明細書ＥＰ０１６６７６３Ｂ１
【特許文献３】欧州特許明細書ＥＰ０５１１７２６Ｂ１
【特許文献４】独国特許明細書ＤＥ１０２００５０３２０１５Ａ
【発明の概要】
【発明が解決しようとする課題】
【００１１】
したがって本発明の１つの目的は、薬ウエハを保管・供給するための装置を利用できるようにすることである。
本発明の別の目的は、ウエハを所定の周期で装置から信頼性よく取り出せるようにすること、すなわちこの装置によってユーザーが、薬ウエハが計画通りに所定の時に服用されたかどうかをチェックできるようにすることである。
本発明のさらに別の目的は、薬ウエハを保管・供給するための装置として、毎日利用するのに適していて、必要な物理的安定性があり、容易かつ簡単に製造できるために安価であるものを利用できるようにすることである。
本発明のさらに別の目的は、薬ウエハを保管する安全な手段を提供することである。
【課題を解決するための手段】
【００１２】
これらの目的と他の目的は、本発明によって達成される。
【００１３】
本発明による装置の薬収納袋は、一般に、ベース・フィルムとカバー・フィルムからなる。カバー・フィルムは、そのカバー・フィルムの側部に沿って延びるストリップの形態であることが好ましい接合部を通じてベース・フィルムに接続（例えば糊付け）することができる。さらに、特に好ましい一実施態様では、ベース・フィルムとカバー・フィルムは、それぞれ、少なくとも１つの側縁部に、互いに接続されていない突起したフラップを有する。このようにすると２つのフィルムを容易に掴むことができるため、薬収納袋を引きちぎって開け、その中に収納されているウエハを取り出すことがはるかに容易になる。薬ウエハは、接合部によって形成される領域の内側で、ベース・フィルムとカバー・フィルムの間に封入される。
【００１４】
薬ウエハの保管・供給に用いられる本発明の装置は、袋積層体として配置されていて薬ウエハを収納する薬収納袋を備えている。この装置では、支持体が、薬収納袋の１つの縁部に実質的に平行に配置されている。薬が所定の時にすでに服用されたかどうかをユーザーがチェックできるようにするため、日付表示が支持体の上に配置されるとともに、目印がそれぞれの薬収納袋の上に配置されている。そのとき、袋積層体の中の連続した薬収納袋の上に配置された目印は、それぞれ、支持体上の連続した日付表示と揃うようにされる。
【００１５】
この装置の中の薬収納袋は袋積層体として配置されていて、互いにずれた目印を与えられていること、そしてウエハを服用する時期を示す表示手段が、好ましくは支持体の上に、薬収納袋の１つの縁部と実質的に平行に配置されていることにより、ユーザーは、ウエハが予定された時期に実際に服用されたかどうかをいつでもチェックすることができる。
【００１６】
薬収納袋をウエハがその中に収納された状態で装置の中に固定するには、薬収納袋を好ましくは縁部に沿って支持体に接続するとよい。
【００１７】
本発明の好ましい一実施態様では、支持体は、リーフ積層体として形成された残留リーフによって形成される。これらの残留リーフは、少なくともそれぞれの第１のリーフ縁部の領域で互いに接続される。さらに、この場合には、それぞれの薬収納袋は、第１のリーフ縁部とは反対側のそれぞれの第２のリーフ縁部を通じて残留リーフのうちの１つに接続される。その中には、それぞれの残留リーフが薬収納袋と１つの部材にされる場合、すなわち薬収納袋の１つの縁部がより広くされ、この広くなった縁部に残留リーフが形成される場合も含まれる。この実施態様では、日付表示はリーフ積層体の最上部の残留リーフの上に第２のリーフ縁部に沿って配置されるか、最上部の残留リーフを覆うフラップの上に配置される。
【００１８】
あるいは支持体は、薬収納袋の第２の縁部とは反対側の第１の縁部の隣に配置することもできる。この場合、薬収納袋は、残留リーフの第１のリーフ縁部とは反対側に位置するそれぞれの第２のリーフ縁部を通じて残留リーフに接続される。
【００１９】
装置の構造をこのように選択すると、薬ウエハが中に収納された薬収納袋は、メモ帳または書物におけるように互いに積み重ねられるため、１つずつ取り出すことができる（最上部から取り出せることが好ましい）。ウエハを最初に投与するために最上部にある袋を取り出すとき、積層体内でその下にある袋が見えるようになる。すると下にあるこの袋は、続く２回目の投与のときに取り出すことができる。ウエハを収納した他の袋は積層体内の袋の順番に従って取り出すことができる。袋はそれぞれ残留リーフに接続されていて、積層体内で残留リーフによって保持される。袋を取り出すには、一実施態様では、袋１つごとにその袋が接続されている残留リーフから切り離すことができる。別の一実施態様では、各袋は、例えば引きちぎることにより積層体から取り出すこと、またはステープルを外すことにより積層体から取り出すこと、その袋が接続されている残留リーフとともに積層体から取り出すことができる。
【００２０】
日付表示が支持体上に、例えばリーフ積層体の最上部の残留リーフの第２の縁部に沿って配置され、目印が、それぞれの薬収納袋の上に、それぞれ日付表示と揃うようにして配置されているため、ユーザーは、ウエハを収納した袋が予定された時期に実際に積層体から取り出されたかどうかと、したがってウエハも服用されたかどうかをいつでも知ることができる。袋上に位置する目印が隣接した支持体（最上部の残留リーフ上の支持体であることが好ましい）上の特定の日付表示と揃っているという事実から、このようにすることが可能になる。このようにして、ユーザーは、実際の時期が日付表示によって示される時期に当たるか当たらないかを知ることができる。袋積層体内の連続した袋上の目印は連続した日付表示と揃っているため、袋積層体から最上部の袋を取り出すと、下にある袋上で日付表示が１単位分だけずれている目印が見えるようになって次の投与の時期が表示される。個々の袋を残留リーフ上の日付表示にこのように割り当てることで、投与スケジュールを確実に守らせることが容易になる。なぜならユーザーは、最上部の袋上の目印からと、支持体上の、またはリーフの縁部に沿った日付表示とから、ウエハが実際に取り出されて服用されたかどうかを知ることができるからである。
【００２１】
支持体がリーフ積層体によって形成されていて、各袋がその積層体から分離されることによって付随する残留リーフから外れる第１の実施態様では、日付表示が最上部の残留リーフの上にだけ位置している。なぜならこの最上部の残留リーフだけが常に見える状態になっているからである。支持体がリーフ積層体によって形成されていて、各袋がその積層体から付随する残留リーフとともに取り出される第２の実施態様では、最上部の残留リーフだけでなく、袋に接続されたすべての残留リーフに日付表示を設けなければならない。なぜならそれぞれの残留リーフは、袋が取り出されるのと同時に取り出されるからである。この場合には、支持体は、それぞれの最上部の残留リーフと、その下にあるすべての残留リーフとが合わさって形成される。しかし後者の場合の日付表示は、すべての残留リーフ上に配置せねばならないため、第１の実施態様が第２実施態様よりも好ましい。
【００２２】
本発明の別の好ましい一実施態様では、それぞれの薬収納袋は別々に残留リーフのうちの１つに接続される。このようにすると、袋は、例えば引きちぎることによって積層体から容易に外すことができる。各袋は、例えば１つの側がより広くされた袋の構成部品（ベース・フィルム、カバー・フィルム）により、付随する残留リーフとで１つのユニットにすることができる。広くすることによって形成したこの部分は、残留リーフに対応する。
【００２３】
ウエハを毎日服用すべき場合には、好ましい一実施態様では、日付表示が曜日または暦日を示す。後者は、１つの月の日の数字によって示される。曜日を示す表示は、暦日を示す場合と比べると、繰り返しがより頻繁であるという利点を有する。こうすると、日付表示を支持体上または最上部の残留リーフ上に配置することがより容易になる。なぜなら、最初の日として、１週間に含まれる全部で７つの曜日の中から一致する曜日だけを選択せねばならないのに対し、暦日が示される場合には、２８日、２９日、３０日、３１日の中から一致する暦日を選択せねばならないからである。さらに、暦日が示される場合には、少なくとも積層体に含まれる袋と同数の暦日表示（どの月であるかにより、最大で２８日、２９日、３０日、３１日のいずれか）を支持体上または最上部の残留リーフ上に配置せねばならない。なぜなら暦日表示の繰り返しは、新しい月が始まるときにだけ起こるからである。それに加え、月の長さは２８日、２９日、３０日、３１日のいずれかになる可能性のあることに注意せねばならない。そのため装置が不正確に使用されることに容易につながる可能性がある。この理由で、日付表示は、曜日を示すことが好ましい。この場合には、週の７つの曜日が、好ましくはリーフ積層体の最上部の残留リーフ上に表示されることが好ましい。
【００２４】
曜日表示、または暦日表示、またはそれ以外の日付表示は、ウエハの投与期間が始まるときに支持体上に配置することが好ましく、最上部の残留リーフ上に配置することがより好ましい。そうするため、ユーザーは、日付表示を支持体上に好ましくはリーフ縁部に沿って配置するにあたり、最初の投与（投与の第１日目）のための日付表示が、連続した薬収納袋上の目印の順番に応じて最上部または最下部に位置するようにする。その後の日付表示（例えば曜日）は、日付表示が目印と揃うようにしてその上またはその下に続く。このプロセスでは、日付表示を取り付けるときに薬収納袋上の目印のパターンがもちろん目に入らねばならない。
【００２５】
日付表示は、その日付表示を有する表示手段を支持体に取り付けることにより、支持体上に、特に第２のリーフ縁部に沿って配置されることが好ましい。例えば日付表示を有する表示ストリップを、支持体上のホルダの中に差し込むことによって、または支持体に固定することによって取り付けることができる。例えばホルダは支持体に設けたスリットにすることができる。このスリットは、挿入された表示ストリップの上に配置された日付表示がある領域にウインドウを有する。このウインドウにより、日付表示を見ることと、日付表示を最上部の薬収納袋上の揃った目印に割り当てることができる。
【００２６】
例えば支持体上に取り付けるための表示ストリップをうまく用意できるようにするため、この種の表示ストリップには、最初は、リーフ縁部に収容できる連続した日付表示の約２倍の数があるとよい。ウエハをいつ最初に服用するかを決定した後、表示ストリップ上の対応する日付表示を支持体上の上部位置または下部位置に割り当てる。次に表示ストリップの長さを短くし、支持体上で利用できる長さに対応した長さにする。例えば最初に投与するための日付表示の前で表示ストリップを横に曲げたり切断したりして支持体に取り付けることができる。表示ストリップが上部または下部で突起している部分も同様に横に曲げたり切断したりすることができる。次に、このようにして準備した表示ストリップを、日付表示が薬収納袋上の目印と揃うようにして支持体上のホルダの中に固定する。そのためには、例えば中に押し込んだり、そこに挟んだり、支持体に固定したりする。
もちろん、日付表示は支持体に手書きすることもできる。
【００２７】
残留リーフは、クリップ、糊付け、ステープルによって互いに接続されることが好ましい。原則として、他のタイプの接続ももちろん考えられる。残留リーフは、縁部の領域で例えば平面接続（例えば互いに糊付けすること）によって互いに接続することができる。個々の残留リーフの密でしっかりとした接合は、このようにして実現される。別の一実施態様では、残留リーフを互いにヒンジ式にすることができる。後者は、第１のリーフ縁部の周辺部だけで、または主として周辺部で、残留リーフを互いに接続することによって実現される。特に好ましい一実施態様では、残留リーフは、リング式バインダ、または螺旋式綴じ込みによってノートのように互いに接続されるかヒンジ式にされる。
【００２８】
さらに、物理的効果や他の効果から保護するため追加のカバーを袋積層体の少なくとも一方の側（例えば支持体上、または袋積層体で支持体があるのとは反対側）に固定することができる。このカバーは、閉じられた状態では、袋積層体の外側に載せることができる。カバーは、特にヒンジ式にすることが好ましく、一実施態様では支持体の上に固定することができ、別の一実施態様では、袋積層体で支持体とは反対側に固定することができる。カバーは、特に薬収納袋を保護するために設けることができる。カバーは適切な材料（例えばカードやプラスチック）で製造されることが好ましい。カバーには、記載事項またはロゴを取り付けることや、機能上の目的を持つだけではなく、美的な目的も持つ他のなんらかの装置も設けることができる。
【００２９】
さらに、支持体の領域では、カバーを袋積層体の１つの側に接続し、薬収納袋で支持体とは反対側にある側縁部において裏側に折り曲げることにより、カバーが袋積層体の両方の側を横断して被さるようにできる。例えばこのようなカバーは、カードまたはプラスチックからなるシートから折り曲げたり屈曲させたりすることができる。カバーは、一方の縁部を通じて支持体に接続することができ、そこから離れたある距離の位置で好ましくはその縁部に平行に、袋積層体を横断するように裏側に折り曲げることのできる折れ線を持つことができる。したがってカバーは袋積層体の前面と後面の両方を完全に覆い、後者を効果的に保護することができる。カバーの折れ線は、袋積層体の厚さにうまく合うような幅であることが好ましい。カバーが閉じられた状態では、最上部の袋は、カバーの折り曲げられた自由な前面によって保護されるのに対し、カバーで支持体に接続されている後部は、袋積層体の後面を保護する。さらに、袋積層体が支持体に接続されている領域においてカバーを接続部位の上方で前方に折り曲げてリーフ積層体に被せることで、カバーはリーフ積層体を覆うことができる。したがってこの場合には、支持体は、リーフ支持体と、そのまわりに折り曲げられたカバーとによって形成される。リーフ積層体は、このようにして物理的損傷からも保護される。したがって本発明の日付表示は、リーフ積層体の上ではなく、リーフ積層体の上のフラップ上に配置することができる。このフラップは、カバーをリーフ積層体のまわりに折り曲げることによって作り出される。この場合、リーフ積層体とフラップが合わさって支持体を形成する。このような構成は、例えばブック・マッチで知られている。その製造は簡単かつ効率的である。
【００３０】
あるいは装置の両方の側に被さるカバーは、袋積層体でリーフ積層体とは反対側で装置に固定し、リーフ積層体が配置されているのとは反対側に曲げることもできる。この場合、支持体は、例えば袋積層体でリーフ積層体とは反対側に配置することができ、カバーを折り曲げることで例えば支持体が形成される。
【００３１】
本発明の装置は、袋積層体の中に、薬ウエハを収納するための薬収納袋を１２０個備えることが好ましい。避妊に関しては、これまでのところ、１つの投与単位、すなわち１つのウエハが２１日間にわたって服用され、この投与段階の後に７日間の薬なしの段階が続くのが一般的であった。しかし現在の避妊薬の場合には、２１日よりも長く続く投与サイクル（例えば１２０日まで）が利用される。そしてこのより長い投与段階の後に、４日間の薬なしの段階が続く。このような場合に十分な数のウエハを提供できるようにするため、装置内に１２０個の薬収納袋を設けることが可能である。
【００３２】
以下に説明する図面と実施例によって本発明をより詳細に説明する。もちろん、図面と実施例に示した実施態様は単なる例示として提示されている。本発明の範囲がこの例示に制限されることはない。逆に、当業者には、以下の説明から、ここに示した本発明の特別な例だけでなく、開示されていないが容易に到達することのできる本発明の変形例も明らかになろう。
【図面の簡単な説明】
【００３３】
【図１】本発明の第１の実施態様の斜視図である。
【図２】本発明の第２の実施態様が開いた状態にあるときの斜視図である。
【図３】本発明の第２の実施態様が閉じられた状態にあるときの斜視図である。
【図４】本発明の第３の実施態様の斜視図である。
【００３４】
図面中の同じ参照番号は同じものを表わす。
【発明を実施するための形態】
【００３５】
ウエハを保管・供給するための本発明による装置を図１に示してある。この装置は、カバー２（例えばプラスチック製のカバー）と、ウエハ（図示せず）が封入された複数の薬収納袋１とを備えている。この装置の裏側には、薬収納袋１を物理的な損傷から保護する別のカバー（図示せず）を設けることができる。それぞれの薬収納袋１の側部には残留リーフ３があって、第２のリーフ端部３´´においてミシン目４だけによって薬収納袋１から分離される。ミシン目４は、必要なときに薬収納袋１を残留リーフ３から引きちぎってこの袋１を装置から外すために用いられる。残留リーフ３はそのまま残される。その様子を図１に示してある。最上部の薬収納袋１が引きちぎられて最上部の残留リーフ３．１から離れ、その下にあってつながっている薬収納袋１．２が見えている。この薬収納袋１．２は、（見ることができない）対応する残留リーフにミシン目４によってまだ接続されている。この装置は、例えば薬収納袋１を１２０個備えることができる。カバー２には、例えば使用法を提示するとともに薬が何で製造者が誰であるかを明らかにするのに役立つ記載がある。
【００３６】
残留リーフ３に取り付けられた薬収納袋１とカバー２は、リング式バインダによって綴じられた小冊子のようにして互いに接続されている。そうするため、第１の穴６が、それぞれの薬収納袋１ごとに残留リーフ３の第１のリーフ縁部３´に設けられるとともに、カバーの一方の縁部７´には第２の穴７が設けられていて、リング式バインダのリング５がその穴に通される。
【００３７】
残留リーフ３は、日付表示の支持体９を形成するリーフ積層体を形成する。その目的で、最上部の残留リーフ３．１は、曜日ストリップ１０の上に配置された日付表示を有する。この場合の日付表示は一週間の曜日を示しており、ここでは文字“Ｍ”（月曜日）、“Ｔ”（火曜日）、“Ｗ”（水曜日）、“Ｔ”（木曜日）、“Ｆ”（金曜日）、“Ｓ”（土曜日）、“Ｓ”（日曜日）によって表わされる。この曜日ストリップは、この場合には、最上部の残留リーフ３．１に固定される。月曜日の日付表示“Ｍ”は最も下に配置され、週の他の曜日はそこから上に向かって時間の順番に示される。日曜日の日付表示“Ｓ”は、このシリーズの最後である。曜日ストリップ１０上の日付表示の配置をこのように選択することで、第１のウエハは月曜日に服用すべきであることがはっきりする。例えば第１のウエハを（“Ｔ”に対応する）木曜日に服用すべきであったなら、曜日ストリップ１０は、最上部の残留リーフ３．１に別の形式で、すなわち（下から）Ｔ、Ｆ、Ｓ、Ｓ、Ｍ、Ｔ、Ｗの順番で固定すべきであったろう。同じことが、薬を服用する別のスケジュールに当てはまる。したがって、治療を開始する前に、ユーザーに、装置の準備に使用できる曜日ストリップ１０を与えることが好ましい。この曜日ストリップ１０には週のすべての曜日が順番に約２回印刷されているため、ユーザーは、治療を開始するのに選択した曜日から始まる順番に配置した７つの日付表示を有する曜日ストリップ１０を準備することができる。曜日ストリップ１０の不要な両端部は切り落とされる（か、ストリップ１０がホルダの中に固定されるかスリットの中に押し込まれる場合に当てはまるのであれば、裏側に折り曲げられる）。
【００３８】
目印２０も薬収納袋１の表面に配置されている。第１の薬収納袋１．１は第１の目印２１を有する。これは、曜日ストリップ１０上の日付表示の曜日“Ｍ”＝月曜日と揃っている。したがってこの袋に収納されたウエハは、月曜日に服用するためのものである。最上部の薬収納袋１．１の下に位置していてその袋が引きちぎられたときに見えるようになる薬収納袋１．２は、第２の目印２２を有する。この目印は、曜日ストリップ１０上の日付表示の曜日“Ｔ”＝火曜日と揃っている。したがってこの第２の袋１．２の中にあるウエハは、火曜日に服用されるべきである。別の目印２３、２４、２５、２６、２７は、ここでは単に象徴的に示してある。というのも、あとに続く薬収納袋１の表面にの順番で隠れているからである。これら目印２３、２４、２５、２６、２７のそれぞれは、（の順番で）日付表示の曜日“Ｗ”（水曜日）、“Ｔ”（木曜日）、“Ｆ”（金曜日）、“Ｓ”（土曜日）、“Ｓ”（日曜日）の１つと揃っている。したがって下に位置する薬収納袋に収納されたウエハは、対応する曜日に服用すべきである。したがってウエハを特定の日にすでに服用したかしないかが、ユーザーにただちに明らかになる。
【００３９】
図２は、本発明の第２の実施態様を示している。この装置も、カバー２（例えばボードからなる）と薬収納袋１を備えている。この場合にも、カバー２には、使用法を提示するとともに薬が何で製造者が誰であるかを明らかにするのに使用できる記載事項がある。カバー２は、糊付けによってリーフ積層体に接続することができる。このリーフ積層体は複数の残留リーフ３を含んでおり、その残留リーフは互いに糊付けされている。これらの残留リーフ３は、ミシン目４によって薬収納袋１から分離される。残留リーフ３を有する薬収納袋１を製造するため、必要なベース・フィルムとカバー・フィルムを用意し、薬収納袋１だけでなく、それと同時に付属する残留リーフ３も形成することが好ましい。そうするため、ベース・フィルムおよび／またはカバー・フィルムは、ウエハの収納に必要なよりも大きくすることが好ましい。ウエハが中に収納された薬収納袋１を製造し、それぞれの薬収納袋１を対応する残留リーフ３から分離するためのミシン目を形成した後、残留リーフ３を有する薬収納袋１を互いに積み重ねて装置を製造する。残留リーフ３は、残留リーフ３のある領域でだけ糊付けされる。残留リーフ３を糊付けして得られるリーフ積層体は、接着剤によってカバー２に接続することができる。
【００４０】
装置の下部領域では、カバー２は、袋積層体に向かって折り曲げられてフラップ１５を形成する。日付表示のための支持体９はこのようにして形成される。リーフ積層体の上方ではカバー２が上部折り線１１を形成するため、カバー２は袋積層体の正面を覆うように折り曲げることができる。
【００４１】
日付表示“Ｍ”、“Ｔ”、“Ｗ”、“Ｔ”、“Ｆ”、“Ｓ”、“Ｓ”を示す曜日ストリップ１０が支持体９に固定される。このストリップは、図１の実施例と同様にして開始日がストリップ１０の最も左側に現われるように準備されて支持体９に固定される。薬収納袋１にはやはり目印２０が設けられる。その目印は、曜日ストリップ１０上の日付表示と揃っている。日付表示“Ｍ”と揃った目印２１が最上部の薬収納袋１．１の上に配置され、日付表示“Ｔ”と揃った第２の目印２２がその下にある薬収納袋１．２の上に配置される。この第２の目印２２はここでは単に象徴的に示してある。別の目印は、その前に位置する薬収納袋によって隠されているため図示していない。
【００４２】
図３は、本発明による装置の第２の実施態様が閉じられた状態を示している。記載事項とロゴをカバー２の外側に配置することができる。
【００４３】
図４は、本発明による装置の第３の実施態様を示している。この装置は、ブック・マッチのように形成される。カバー２の内面には記載事項（例えば使用法のほか、薬の名称と製造者の名称）が記載される。この装置の最も下の領域では、カバー２が下側の折り線によってフラップ１５を形成し、リーフ積層体３のまわりをガイドされてそこに固定される。しかしカバー２は残留リーフ３を完全には覆わない。図４から、リーフ積層体の一部がフラップ１５よりも突起していることがわかるであろう。支持体９は、フラップ１５とリーフ積層体によって形成される。カバー２は袋積層体の後面を保護し、上部折り線１１の位置で折り曲げられて装置の前面に来る。そのためカバーは、袋積層体の前面を物理的損傷から保護することもできる。
【００４４】
残留リーフ３は、付随する薬収納袋１にミシン目４を通じて接続される。図２の装置の場合のように、薬収納袋１は、付随する残留リーフ３と一体化した１つの部材にすることができる。これら２つの部分は、ミシン目４の助けを借りて互いに分離することができる。
【００４５】
日付表示“Ｍ”、“Ｔ”、“Ｗ”、“Ｔ”、“Ｆ”、“Ｓ”、“Ｓ”を示す曜日ストリップ１０がここでも支持体９の上に配置されている。薬収納袋１は目印２０を備えており、その目印は対応する日付表示と揃っている。図示した例では、週の一連の曜日が月曜日の“Ｍ”から始まり日曜日の“Ｓ”で終わっている。最上部にある第１の薬収納袋１．１がミシン目４の助けを借りて残留リーフ３から引きちぎられる。最上部の残留リーフ３．１が見える。切り離された袋１．１は、月曜日を表わす“Ｍ”と揃った第１の目印２１を有する。その下に位置する薬収納袋１．２が見える。この第２の薬収納袋１．２は、火曜日の日付表示“Ｔ”と揃った第２の目印２２を有する。ユーザーは、日付表示に割り当てられた目印２０により、ウエハが予定された日にすでに服用されたか、されていないかを見分けることができる。
【図１】
2010535549.tif 000003
【図２】
2010535549.tif 000004
【図３】
2010535549.tif 000005
【図４】
2010535549.tif 000006
【国際調査報告】
2010535549.tif 000007
2010535549.tif 000008
2010535549.tif 000009
2010535549.tif 000010